(57)【要約】【課題】  使用者の利用実態に合わせた洗浄コース表示が可能であり、使用者が無駄なキー操作を行うことを防止できる食器洗い機を提供する。【解決手段】  選択した洗浄コースの動作を自動的に運転させる食器洗い機において、選択した洗浄コースが終了するたびに、該洗浄コース名のみ、あるいは該洗浄コース名およびオプション内容を記憶手段に記憶し、次回の電源投入時に所定の洗浄コースを表示すると共に、専用あるいは特定のキーの操作ごとに、過去に使用した洗浄コースが新しい順のコース、あるいは過去に使用したコースで使用数が多かった順のコースを表示手段に表示可能にした。【選択図】      図８
2006102006.tif 000002
【特許請求の範囲】
【請求項１】
選択した洗浄コースの動作を自動的に運転させる食器洗い機において、選択した洗浄コースが終了するたびに、該洗浄コース名を記憶手段に記憶し、次回の電源投入時に所定の洗浄コースを表示すると共に、専用あるいは特定のキーの操作ごとに、過去に使用した洗浄コースが所定の履歴にしたがって表示手段に表示可能にされることを特徴とする食器洗い機。
【請求項２】
選択した洗浄コースの動作を自動的に運転させる食器洗い機において、選択した洗浄コースが終了するたびに、該洗浄コース名およびオプション内容を記憶手段に記憶し、次回の電源投入時に所定の洗浄コースを表示すると共に、専用あるいは特定のキーの操作ごとに、過去に使用した洗浄コースが所定の履歴にしたがって表示手段に表示可能にされることを特徴とする食器洗い機。
【請求項３】
前記所定の履歴は、過去に使用した洗浄コースの新しい順であることを特徴とする請求項１又は請求項２記載の食器洗い機。
【請求項４】
前記所定の履歴は、過去に使用した洗浄コースの使用数の多い順であることを特徴とする請求項１又は請求項２記載の食器洗い機。
【請求項５】
前記電源投入時に表示する所定の洗浄コースは前回運転したコースであることを特徴とする請求項１又は請求項２記載の食器洗い機。
【請求項６】
前記電源投入時に表示する所定の洗浄コースは過去に使用したコースのうち使用数の最も多かったコースであることを特徴とする請求項１又は請求項２記載の食器洗い機。
【発明の詳細な説明】
【技術分野】
【０００１】
本発明は食器洗い乾燥機を含む食器洗い機に関するものである。
【背景技術】
【０００２】
近年の食器洗い機においては使用者の多様なニーズに応えるため、使用者が選択できる洗浄コースは、例えば専用洗剤コース、台所洗剤コース、すすぎ乾燥コースのように、増加する一方である。また、製造者からすると洗浄コースの増加に伴うコストアップを抑えるために操作キー数やコース表示ＬＥＤ数などの増加は最小限に止めている。
【０００３】
従って、使用者が同じ操作キーを何度も押して目的のコースを表示させたり、乾燥時間の選択を行うためにまた別のキーを押さなければならない等、使用者にとっては操作方法が複雑になって使いづらくなってきている。それを少しでも解決するために、現在は前回運転したコース内容を次回電源投入時に表示する方法が一般的に採用されている（例えば、特許文献１を参照）。
【特許文献１】特開平１１−２０６６８９号公報
【発明の開示】
【発明が解決しようとする課題】
【０００４】
しかしながら、前回運転したコースではなく前々回運転したコースを運転したい場合には再度希望する洗浄コースを選択しなおさなければならなかったり、また、いつも同じ洗浄コースを使用しているのに、たまたま前回違う洗浄コースを選択して運転した場合には、次の電源投入時に前回選択した洗浄コースが表示されるため、再度希望する洗浄コースを選択し直さなければならない等の問題があった。そこで本発明は、使用者の利用実態に合わせた洗浄コース表示が可能であり、使用者が無駄なキー操作を行うことを防止できる食器洗い機を提供することを目的とする。
【課題を解決するための手段】
【０００５】
上記課題を解決するために、本発明の請求項１に係る食器洗い機は、選択した洗浄コースの動作を自動的に運転させる食器洗い機において、選択した洗浄コースが終了するたびに、該洗浄コース名を記憶手段に記憶し、次回の電源投入時に所定の洗浄コースを表示すると共に、専用あるいは特定のキーの操作ごとに、過去に使用した洗浄コースが所定の履歴にしたがって表示手段に表示可能に構成した。
【０００６】
こうして、過去に使用した洗浄コースが所定の履歴にしたがって表示手段に表示可能に構成することにより、所望のコースが効率的に表示できるので、再度希望する洗浄コースを選択し直す必要がなくなり、使用者の利用実態に合わせた洗浄コース表示が可能となり、使用者が無駄なキー操作を行うことを防止できる。
【０００７】
本発明の請求項２に係る食器洗い機は、選択した洗浄コースの動作を自動的に運転させる食器洗い機において、選択した洗浄コースが終了するたびに、該洗浄コース名およびオプション内容を記憶手段に記憶し、次回の電源投入時に所定の洗浄コースを表示すると共に、専用あるいは特定のキーの操作ごとに、過去に使用した洗浄コースが所定の履歴にしたがって表示手段に表示可能に構成した。
【０００８】
こうして、過去に使用した洗浄コース及びオプションが所定の履歴にしたがって表示手段に表示可能に構成することにより、所望のコースが効率的に表示できるので、再度希望する洗浄コースを選択し直す必要がなくなり、使用者の利用実態に合わせた洗浄コース表示が可能となり、使用者が無駄なキー操作を行うことを防止できる。
【０００９】
本発明の請求項３に係る食器洗い機は、選択した洗浄コースの動作を自動的に運転させる食器洗い機において、選択した洗浄コースが終了するたびに、該洗浄コース名のみ、あるいは該洗浄コース名およびオプション内容を記憶手段に記憶し、次回の電源投入時に所定の洗浄コースを表示すると共に、専用あるいは特定のキーの操作ごとに、過去に使用した洗浄コースが新しい順にしたがって表示手段に表示可能に構成した。
【００１０】
こうして、過去に使用した洗浄コースが新しい順にしたがって表示手段に表示可能に構成することにより、所望のコースが効率的に表示できるので、前回運転したコースではなく前々回運転したコースが表示されるので、再度希望する洗浄コースを選択し直す必要がなくなり、使用者の利用実態に合わせた洗浄コース表示が可能となり、使用者が無駄なキー操作を行うことを防止できる。
【００１１】
本発明の請求項４に係る食器洗い機は、選択した洗浄コースの動作を自動的に運転させる食器洗い機において、選択した洗浄コースが終了するたびに、該洗浄コース名のみ、あるいは該洗浄コース名およびオプション内容を記憶手段に記憶し、次回の電源投入時に所定の洗浄コースを表示すると共に、専用あるいは特定のキーの操作ごとに、過去に使用した洗浄コースが使用数の多い順にしたがって表示手段に表示可能に構成した。
【００１２】
こうして、過去に使用した洗浄コースが使用数の多い順にしたがって表示手段に表示可能に構成することにより、所望のコースが効率的に表示できるので、よく利用する洗浄コースが優先的に設定され、再度希望する洗浄コースを選択し直す必要がなくなり、使用者の利用実態に合わせた洗浄コース表示が可能となり、使用者が無駄なキー操作を行うことを防止できる。
【００１３】
本発明の請求項５に係る食器洗い機は、選択した洗浄コースの動作を自動的に運転させる食器洗い機において、選択した洗浄コースが終了するたびに、該洗浄コース名、あるいは、オプションがあれば、洗浄コース名およびオプション内容を記憶手段に記憶し、次回の電源投入時に前回運転した洗浄コースを表示すると共に、専用あるいは特定のキーの操作ごとに、過去に使用した洗浄コースが所定の履歴にしたがって表示手段に表示可能に構成した。
【００１４】
こうして、次回の電源投入時に前回運転した洗浄コースを表示手段に表示可能に構成することにより、前回と同様な食器を今回も洗浄する場合、所望のコースが効率的に表示できるので、再度希望する洗浄コースを選択し直す必要がなくなり、使用者の利用実態に合わせた洗浄コース表示が可能となり、使用者が無駄なキー操作を行うことを防止できる。
【００１５】
本発明の請求項６に係る食器洗い機は、選択した洗浄コースの動作を自動的に運転させる食器洗い機において、選択した洗浄コースが終了するたびに、該洗浄コース名、あるいは、オプションがあれば、洗浄コース名およびオプション内容を記憶手段に記憶し、次回の電源投入時に過去に使用したコースのうち使用数の最も多かった洗浄コースを表示すると共に、専用あるいは特定のキーの操作ごとに、過去に使用した洗浄コースが所定の履歴にしたがって表示手段に表示可能に構成した。
【００１６】
こうして、次回の電源投入時に過去に使用したコースのうち使用数の最も多かった洗浄コースを表示手段に表示可能に構成することにより、今回も洗浄する場合、使用者にとって標準的で、かつ納得の洗浄コースがすばやく選択できるように効率的に表示できるので、再度希望する洗浄コースを選択し直す必要がなくなり、使用者の利用実態に合わせた洗浄コース表示が可能となり、使用者が無駄なキー操作を行うことを防止できる。
【発明の効果】
【００１７】
以上のように、本発明の食器洗い機は、過去に使用した洗浄コースが所定の履歴にしたがって表示手段に表示可能にすることにより、所望のコースが効率的に表示できるので、再度希望する洗浄コースを選択し直す必要がなくなり、使用者の利用実態に合わせた洗浄コース表示が可能となり、使用者が無駄なキー操作を行うことを防止できる。
【発明を実施するための最良の形態】
【００１８】
本発明の食器洗い機の一実施形態として食器洗い乾燥機を例にして説明する。以下には、図面を参照して、この発明の実施形態について具体的に説明する。図１は、この発明の一実施形態に係る食器洗い機１を正面側から斜めに見た斜視図である。
【００１９】
図１において、この食器洗い機１は、その外形が略直方体形状の筐体２により区画されている。筐体２は、左右方向の長さ（幅）に比べて前後方向の長さ(奥行き）が短く形成されている。
【００２０】
筐体２の内部には、洗浄すべき食器を収容するための洗浄タンク３が配置されており、この洗浄タンク３の前面には開口４が形成されている（図２参照)。開口４は、筐体２に対して回動可能に取り付けられた２枚の扉（上扉５および下扉６）により覆うことができるようになっている。上扉５によって開口４の上半分程度を覆うことができ、下扉６によって開口４の下半分程度を覆うことができる。上扉５は手前上方に回動可能となっている一方、下扉６は手前下方に回動可能となっている。これらの上房５および下扉６を閉じた状態では、開口４が覆われて、洗浄タンク３が水密に塞がれる。
【００２１】
下扉６の上端部には、その左右方向の中央部に、当該下扉６を開く際にユーザが握るための把持部７が配置されている。ユーザは、把持部７を握って手前側に引くことにより、下扉６を手前下方に回動させることができる。上扉５は下扉６に連動して開閉するようになっていて、下扉６が手前下方に回動されると、それに連動して上扉５が手前上方に回動され、開口４が大きく開放される。筐体２の前面下部には、この食器洗い機１における運転内容（運転コースなど)を設定する操作表示パネル８が配置され、該操作表示パネル８には例えば液晶等でなる表示部１０が含まれている。
【００２２】
図２は、食器洗い機１を前後方向に沿った鉛直面で切断したときの断面を右側から見た断面図である。図２を参照して、洗浄タンク３内には、洗浄すべき食器を保持するための２つの食器かご９（上かご９Ａおよび下かご９Ｂ）が、上下方向に一定間隔を開けて配置されている。上かご９Ａおよび下かご９Ｂは、それぞれ前後方向にスライド可能に配置されていて、上扉５および下扉６を開いた状態で開口４を介して手前側に引き出し、食器の出し入れを容易に行うことができるようになっている。
【００２３】
下かご９Ｂの右側の部分は、小皿や大皿などの比較的大きな皿を立てた状態で収容可能な大皿収容部となっている。また、下かご９Ｂの中央部から左側にかけての部分は、茶碗、汁椀および丼などの椀物を、横にして立てた状態で収容可能な椀収容部となっている。
【００２４】
上かご９Ａの右側の部分は、小鉢を収容するための小鉢収容部となっている。また、上かご９Ａの中央部から左側にかけての部分は、コップや湯のみなどを収容するためのコップ収容部１３となっている。小鉢収容部に収容される小鉢、およびコップ収容部１３に収容されるコップや湯のみなどは、それぞれ開口が下方を向くようにしてセットされる。なお、上かご９Ａおよび下かご９Ｂの周緑部などの空きスペースには、小皿を立てた状態で収容することができるようになっている。
【００２５】
洗浄タンク３の左右内側面３Ａの上部には、上かご９Ａの左右側縁部と係合して前後方向にスライド可能に保持するための２対のレール１４が、上下方向に一定間隔を空けて平行に配置されている（図２では、各対の左側のレール１４だけが見えている）。この構成によれば、上下に並ぶ２対のレール１４のいずれに上かご９Ａの左右側緑部を係合させるかによって、上かご９Ａの高さを２段階に切り替えることができる。
【００２６】
洗浄タンク３の底面３Ｂの手前側左部には、洗浄水を溜めておくための貯水部１５が、一段低く形成されている。洗浄タンク３内には、たとえば、機外の給水設備や給場設備から水道水を供給することができるようになっていて、洗浄タンク３内に供給された水道水は、貯水部１５を含む洗浄タンク３の下部に溜まるようになっている。給水設備から洗浄タンク３内への水道水の供給、および給場設備から洗浄タンク３内への水道水（湯）の供給は、給水バルブ（図示せず）の開閉により行われる。給湯設備から給水バルブを介して洗浄タンク３内に湯を供給する場合には、たとえば操作表示パネル８の操作によってその旨の設定を行う。食器の洗浄に使用する洗浄水は、洗浄タンク３内に洗剤を投入することにより、その洗剤が洗浄タンク３内に供給された水道水と混ぜ合わされて生成される。
【００２７】
洗浄タンク３内に溜められた洗浄水（または水道水）の水位は、洗浄タンク３の後方下部に配置された水位センサ１６（圧力センサ）によって検知される。貯水部１５にはエアトラップ１７が連通していて、このエアトラップ１７と水位センサ１６とがエアホース１８で接続されている。このような構成によれば、洗浄タンク３内の水位の変化に応じてエアトラップ１７内の空気の圧力が変化するので、このエアトラップ１７内の空気の圧力の変化を水位センサ１６で検知することにより、洗浄タンク３内に溜められた洗浄水の水位を検知することができる。
【００２８】
下扉６の内面（閉じた状態で洗浄タンク３側となる面）には、そのほぼ中央部に専用洗剤（通常は粉末）を収容するための凹部（専用洗剤収容部）が形成されていて、この専用洗剤収容部（図示せず）の左側に台所洗剤（通常は液体）を収容するための凹部（台所洗剤収容部）が形成されている。この食器洗い機１では、専用洗剤収容部に専用洗剤を収容し、その専用洗剤を洗浄タンク３内に供給された水道水と混ぜ合わせて食器の洗浄を行うコース（専用洗剤コース）や、台所洗剤収容部に台所洗剤を収容し、その台所洗剤を洗浄タンク３内に供給された水道水と混ぜ合わせて食器の洗浄を行うコース(台所洗剤コース）などの各種運転コースを実行可能である。
【００２９】
台所洗剤コースで食器の洗浄を行う場合、使用する台所洗剤の量は、５ｍｌ程度が好ましい。台所洗剤には、中性、弱アルカリ性および弱酸性のものがあるが、洗剤量を５ｍｌ程度にすれば、いずれの種類の台所洗剤を使用した場合でも、食器を十分に洗浄することができる。
【００３０】
洗浄タンク３の下方（貯水部１５の後方）には、食器の洗浄時に洗浄タンク３内の洗浄水を循環させたり、洗浄タンク３内の洗浄水を排水したりするための洗浄兼排水ポンプ２０が配置されている。図２においては図示しないが、洗浄兼排水ポンプ２０は、その内部が洗浄ポンプ室と排水ポンプ室とに区画されていて、洗浄ポンプ室および排水ポンプ室には、それぞれポンプモータによって回転駆動可能な洗浄用インベラおよび排水用インベラか備えられている。
【００３１】
洗浄ポンプ室の吸入口２１は、貯水部１５の後壁に形成された循環口２２に接続されていて、洗浄ポンプ室の吐出口２３は、洗浄タンク３の下方に左右方向に沿って延設された通水路２４に接続されている。この通水路２４は、後述する回転ノズルアームおよび固定ノズルアームに接続されている。ポンプモータが正転されると、洗浄ポンプ室内の洗浄用インペラの回転によって、貯水部１５から循環口２２を介して洗浄ポンプ室内に洗浄水が吸い込まれ、その洗浄水が吐出口２３から通水路２４に送り出される。
【００３２】
通水路２４を介して圧送された洗浄水は、回転ノズルアームおよび固定ノズルアームから洗浄タンク３内の食器に向けて噴射される。回転ノズルアームおよび固定ノズルアームから噴射された洗浄水は、再び洗浄タンク３の底部に溜まり、貯水部１５から循環口２２を介して洗浄兼排水ポンプ２０（洗浄ポンプ室）に吸い込まれる。このようにして、貯水部１５に溜められた洗浄水は、食器洗い機１内で循環されて、食器の洗浄に使用されるようになっている。
【００３３】
また、排水ポンプ室の吸込口は貯水部１５の左側壁に形成された排水口２５に接続されていて、排水ポンプ室の吐出口は機外に連通する排水路（図示せず）に接続されている。ポンプモータが反転されると、排水ポンプ室内の排水用インペラの回転によって、貯水部１５から排水口２５を介して排水ポンプ室内に洗浄水が吸い込まれ、その洗浄水が排水路を介して機外に排出される。
【００３４】
洗浄タンク３の底部には、下かご９Ｂの下方から上方に向かって洗浄水を噴射するための２つの回転ノズルアーム２６が、左右に並べて配置されている。これら２つの回転ノズルアーム２６は、それぞれ略楕円状の長尺形状を有していて、共通のノズルベース２７により、それぞれの長手方向中央部を中心にして、水平
面内で回転可能に保持されている。ノズルベース２７は、通水路２４に連通している。
【００３５】
各回転ノズルアーム２６の上面には、複数（例えば、６個）のノズル２８が形成されている。洗浄来排水ポンプ２０から通水路２４およびノズルベース２７を介して各回転ノズルアーム２６に送られてきた洗浄水は、各回転ノズルアーム２６のノズル２８から上方に向かって噴射される。各回転ノズルアーム２６のノズル２８から洗浄水が噴射される際、各回転ノズルアーム２６に対して反力が生じ、その反力によって、各回転ノズルアーム２６はノズル２８から洗浄水を噴射しつつ回転することとなる。これにより、各回転ノズルアーム２６の上方に位置する食器に満遍なく洗浄水を噴射して、良好に洗浄を行うことができる。
【００３６】
洗浄タンク３の後面３Ｃ（内面）には、上かご９Ａと下かご９Ｂとの間から洗浄水を噴射するための固定ノズルアーム２９が配置されている。固定ノズルアーム２９は、その下端から上方に延びた後、途中から第１アームと第２アームとに分岐した形状となっている。固定ノズルアーム２９は、その下端が通水路２４に連通している。コップ収容部１３の最後列（３列目）に収容されたコップに向けて上方に洗浄水を噴射するためのノズル１１が、コップの数と同じ数だけ具えられている。
【００３７】
洗浄タンク３の天面（内面）には、コップ収容部１３の中央部のほぼ真上の位置に、下方に向けて洗浄水を噴射するための天面ノズル３０が配置されている。この天面ノズル３０は、送水管３１を介して洗浄兼排水ポンプ２０の洗浄ポンプ室に接続されている。したがって、ポンプモータが正転して洗浄ポンプ室内の洗浄用インペラが回転すると、貯水部１５から循環口２２を介して洗浄ポンプ室に吸い込まれた洗浄水が、送水管３１を介して天面ノズル３０に送られ、天面ノズル３０から下方に噴射される。天面ノズル３０からの洗浄水は、左右方向に拡散されて、当該天面ノズル３０の真下に近い位置と、天面ノズル３０よりも後方側の位置とに噴射される。これにより、コップ収容部１３の２列目および３列目に収容されたコップの外面を良好に洗浄することができる。
【００３８】
貯水部１５の上緑部には、メッシュ状の残菜フィルタ１２が着脱可能に配置されていて、洗浄時に食器から分離した残菜は、この残菜フィルタ１２により捕獲され、貯水部１５への流入が阻止されるようになっている。残菜フィルタ１２の前端中央部には、上方に延びる把持部３２が形成されており、ユーザは、この把持部３２を掴んで残菜フイルタ１２の着脱を容易に行うことができるようになっている。
【００３９】
この食器洗い機１は、洗浄後の食器を乾燥させる機能を有している。洗浄タンク３の底面３Ｂの前側中央部から右端にかけての部分（貯水部１５の右側）には、洗浄時に洗浄タンク３内に溜められた洗浄水を温めたり、乾燥時に洗浄タンク３内の空気を温めたりするためのループ状のヒータ１９が配置されている。ヒータ１９の上方には、複数の貫通孔（図示せず）が形成された金属製のヒータカバーが配置されている。
【００４０】
筐体２の前面の左右両端緑部（洗浄タンク３よりも外側）には、上下方向に延びる防音用シール（図示せず）が取り付けられている。また、筐体２の前面の左右両端部（洗浄タンク３の左右内側面寄りの位置）には、防音用シールに対して一定の間隔を空けて、上下方向に延びる水封用パツキン（図示せず）が取付けられている。水封用パッキンは、洗浄タンク３内の洗浄水が機外に漏れるのを防止するためのものである。上扉５および下扉６を閉じた状態では、上扉５および下扉６の裏面の左右両端部が、水封用パツキンおよび防音用シールに密着するようになっている。この構成によれば、食器洗い機１の運転時（特に洗浄時）に機内から外部に漏れる音を低減することができる。
【００４１】
図３は、この食器洗い機１の電気的構成を示すブロック図である。図３を参照して、この食器洗い機１の動作は、たとえばマイクロコンピュータを含む制御部４０によって制御される。制御部４０には、操作表示パネル８が入出力可能に接続されていて液晶表示部１０にモード表示を行なう。また、水位センサ１６および泡検知センサ４１からの信号が入力されるようになっている。
【００４２】
この実施形態では、洗浄タンク３の底部（たとえば、ヒータ１９の下方）に、洗浄タンク３内に溜められた洗浄水（または水道水）の温度を検知するための温度センサ４２が配置されている。この温度センサ４２はサーミスタを含む構成であって、制御部４０には、温度センサ４２からの信号及び不揮発性メモリ（ＥＥＰＲＯＭ）４７の信号も入力されるようになっている。
【００４３】
また、制御部４０には、ポンプモータ４３、給水バルブ４４、ヒータ１９およびブロワモータ４５が、負荷駆動部４６を介して接続されている。温度センサ４２からの信号に基づいてヒータ１９の駆動を制御することにより、洗浄タンク３内に溜められた洗浄水（または水道水）の温度を調整することができる。
【００４４】
かかる構成の食器洗い乾燥機において、食器をかごにセットし食器洗い乾燥機の操作表示パネル８の電源スイッチを入れてスタートボタンを押して動作を開始した場合、制御部１９のマイコンに内蔵されたプログラムにより洗浄・乾燥の動作を行う。その間には指定された動作が終了するごとに、ＥＥＰＲＯＭ４７等に作業終了データ・時間データ・温度データ等を記録していく。
【００４５】
図４は、専用洗剤コースにおける制御部４０による制御の流れを示すフローチヤートであって、給場設備から洗浄タンク３内に湯を供給するよう設定されている場合を示している。
【００４６】
図４を参照して、専用洗剤コースでは、制御部４０は、まず、給水バルブ４４を一定時間だけ開いて洗浄タンク３内に水道水（湯）を供給しつつ、ポンプモータ４３を反転させて洗浄タンク３内（貯水部１５内）の水道水を機外に排出させる準備行程を行う（ステップＳＩ)。
【００４７】
この食器洗い機１は、機外の給場設備から洗浄タンク３内に湯を供給して、その洗浄タンク３内に供給した湯と専用洗剤とを混ぜ合わせて洗浄水を生成し、その洗浄水を食器に噴射することにより殺菌洗浄を行うことができるようになっている（高温洗浄)。
【００４８】
高温洗浄を行う場合、給場設備から洗浄タンク３内に給場を開始したときには常温の水道水が供給され、徐々に水道水の温度が上昇することとなる。したがって、準備行程を行うことにより、給場開始時に洗浄タンク３内に供給される常温の水道水を排水することができるので、洗浄タンク３内に溜められる湯を十分に高温にすることができる。
【００４９】
準備行程が終了すると、制御部４０は、給水バルブ４４を一定時間だけ開いて洗浄タンク３内に水道水を供給した後、洗浄兼排水ポンプ２０を正転させることにより、洗浄タンク３内に溜められた洗浄水を食器に向けて噴射する洗い行程を実行し（ステップＳ２)、その後にすすぎ行程を実行する（ステップＳ３)。
【００５０】
すすぎ行程では、洗浄兼排水ポンプ２０を反転させて洗浄タンク３内の洗浄水（または水道水）を一旦排水した後、給水バルブ４４を開いて洗浄タンク３内に水道水を供給し、洗浄兼排水ポンプ２０を正転させて洗浄タンク３内に溜められた水道水を食器に向けて噴射する行程が３回（第１すすぎ、第２すすぎおよび第３すすぎ）繰り返された後、ヒータ１９を駆動させて洗浄タンク３内に溜められた水道水を温めて、その温められた水道水を食器に向けて噴射する行程（加熱すすぎ）が行われる。
【００５１】
すすぎ行程が終了すると、制御部４０は、ブロワモータ４５を駆動させて洗浄タンク３内に機外の空気を送り込みつつ、ヒータ１９により洗浄タンク３内の空気を温めて食器を乾燥させる乾燥行程を実行する（ステップＳ４)。
【００５２】
図５は、台所洗剤コースにおける制御部４０による制御の流れを示すフローチヤートである。図５を参照して、台所洗剤コースでは、制御部４０は、まず、給水バルブ４４を一定時間だけ開いて洗浄タンク３内に水道水を供給し、その供給された水道水と台所洗剤とを混ぜ合わせて洗浄水を生成した後、洗浄タンク３内に溜められた洗浄水を食器に向けて噴射して一定時間だけ放置する行程を複数回繰り返すつけ置き行程を実行する（ステップＳ１１）。台所洗剤コースでは、洗い行程の前につけ置き行程を行うことにより、洗浄タンク３内に泡が大量に発生するのを防止することができる。
【００５３】
台所洗剤コースでは、専用洗剤コースのように準備行程を行うことなく、つけ置き行程を開始するようになっている。一般的に、台所洗剤は、専用洗剤とは異なり、高温の水道水と混ぜ合わせられて洗浄水が生成された場合に洗浄性能が低下する。台所洗剤コースでは準備行程を行わない構成とすることにより、高温洗浄を実行するよう設定されている場合に洗浄タンク３内に溜められる湯の温度を比較的低くすることができるので、洗浄性能が低下するのを抑制できる。したがって、台所洗剤を用いて食器を洗浄する場合であっても、より良好に食器を洗浄することができる。
【００５４】
また、台所洗剤は専用洗剤と異なり液体であるため、専用洗剤コースのように準備行程を行うと、洗浄タンク３内に供給された台所洗剤が準備行程中にすべて機外に排出されてしまうおそれがあるが、準備行程を行わない構成とすることにより、洗浄タンク３内に供給された台所洗剤がすべて機外に排出されてしまうのを防止できる。
【００５５】
つけ置き行程が終了すると、制御部４０は、洗浄兼排水ポンプ２０を正転させることにより、洗浄タンク３内に溜められた洗浄水を食器に向けて噴射した後、洗浄タンク３内の洗浄水を一旦排水する洗い行程を実行する（ステップＳ１２）。
【００５６】
この洗い行程は、専用洗剤コースにおける洗い行程（図４におけるステップＳ２）に相当する。洗い行程が終了すると、制御部４０は、すすぎ行程を実行した後 (ステップＳ１３）、乾燥行程を実行する（ステップＳ１４）。すすぎ行程および乾燥行程における制御部４０の制御内容は、専用洗剤コースの場合と同様である。
【００５７】
ユーザによっては、台所洗剤を用いて食器を手洗いした後、すすぎと乾燥だけを食器洗い機で行いたい場合がある。そこで、この実施形態に係る食器洗い機１では、すすぎ行程と乾燥行程だけを行うコース（すすぎ乾燥コース）を実行できるようになっている。図６は、すすぎ乾燥コースにおける制御部４０による制御の流れを示すフローチャートである。
【００５８】
図６を参照して、すすぎ乾燥コースでは、制御部４０は、まず、給水バルブ４４を一定時間だけ開いて洗浄タンク３内に水道水を供給し、その洗浄タンク３内に溜められた水道水を食器に向けて噴射して一定時間だけ放置する行程を複数回繰り返す掛け置き行程を実行する（ステップＳ２１）。
掛け置き行程が終了すると、制御部４０は、すすぎ行程を実行した後（ステップＳ２２）、乾燥行程を実行する（ステップＳ２３）。すすぎ行程および乾燥行程における制御部４０の制御内容は、専用洗剤コースおよび台所洗剤コースの場合と同様である。
【００５９】
このように、使用者は洗浄コースは、例えば専用洗剤コース、台所洗剤コース、すすぎ乾燥コース等を任意に選択して選択の自動運転を行なうことができる。しかしながら、新たに食器洗いを開始するにあたり、前回運転したコースが自動的に表示、設定されると、使用者の要求に応えることができない。
【００６０】
そこで、前回運転したコースではなく前々回運転したコース等を任意に選択して運転したい場合などには、再度希望する洗浄コースを選択し直さなければならなかったり、また、いつも同じ洗浄コースを使用しているのに、たまたま前回違う洗浄コースを選択して運転した場合には、次の電源投入時に前回選択した洗浄コースが表示されるため、再度希望する洗浄コースを選択し直さなければならない等の不便が生じる。
【００６１】
図７に食器洗い乾燥機の操作表示パネルの一例を示す。「専用洗剤コース」では、標準、スピーディ、高温除菌、調理器具（がんこ）が選択できる。また、「台所洗剤コース」では、おまかせ、高温除菌、洗剤なしが選択できる。
【００６２】
また、オプションとして、専用洗剤コース、台所洗剤コースを選択したとき、「乾燥」ボタンを押して、「乾燥２０分・間欠送風」→「乾燥２０分」→「乾燥なし・間欠送風」→「乾燥なし・間欠送風なし」→「乾燥６０分・間欠送風」→「乾燥６０分」→「乾燥２０分・間欠送風」の順で選択することができる。
【００６３】
更に、オプションとして、「乾燥のみ」のコースの時、「乾燥６０分・間欠送風」→「乾燥６０分」→「乾燥２０分・間欠送風」→「乾燥２０分」→「乾燥６０分・間欠送風」が選択できる。
【００６４】
本発明は、使用者の利用実態に合わせた洗浄コース表示が可能であり、使用者が無駄なキー操作を行うことを防止できる食器洗い機を提供するものであり、次に本発明を実現する制御シーケンスを図８、図９を参照して説明する。
【００６５】
図８は本発明の第１の実施形態に対応した制御シーケンスのフローチャート図であり、次回の電源投入時に前回運転した洗浄コースを表示させ、専用のキーあるいは既存の特定キーを押すたびに過去に使用した洗浄コースが新しい順に表示されるシーケンスである。
【００６６】
図８において、食器洗い機の電源が投入されると（Ｓ３０）、電源スイッチが押されたかどうかが判定される（Ｓ３１）。電源スイッチが押されていない（ＮＯ）と判断されると、再び同様な動作を繰り返す。電源スイッチが押された（ＹＥＳ）と判断されると、ＥＥＰＲＯＭ４７から記憶された洗浄コースをマイコンのＲＡＭに読み込む（Ｓ３２）。
【００６７】
次に、前回運転した洗浄コースを表示するＬＥＤを点灯させる（Ｓ３３）。洗浄コースの表示は液晶等の表示部１０を有するものでは、液晶等の表示部に表示することができる。次に、洗浄コースの履歴キー（専用あるいは特定のキー）が押されたかどうかが判定される（Ｓ３４）。履歴キーが押された（ＹＥＳ）と判断されたら、前前回運転した洗浄コースを表示するＬＥＤを点灯させ（Ｓ３５）、前のステップ（Ｓ３４）に戻る。
【００６８】
履歴キーが押されなかった（ＮＯ）と判断されたら、運転がスタートされたかどうかが判定される（Ｓ３６）。運転がスタートされたら（ＹＥＳ）、ＥＥＰＲＯＭ４７からマイコンのＲＡＭに、設定された洗浄コースが記憶され（Ｓ３９）、続いて、設定された洗浄コースを「新しい順」にマイコンにより並べ替え（Ｓ４０）、結果をＥＥＰＲＯＭ４７に記憶する（Ｓ４１）。
【００６９】
続いて、選択された、「洗い工程」（Ｓ４２）、「すすぎ工程」（Ｓ４３）、「乾燥工程」（Ｓ４４）の運転が行なわれ、工程運転が終了したら、電源をオフにする（４５）、次のスタートに備える。
【００７０】
ステップ３６（Ｓ３６）で、運転のスタートがなかった時（ＮＯ）、洗浄コースの選択があるかどうかを判定する（Ｓ３７）。選択がなかったら（ＮＯ）、ステップ３６に戻り次のスタートに備える。洗浄コースの選択があったら（ＹＥＳ）、選択されたコースを表示するＬＥＤの点灯を行ない、ステップ３６に戻り次のスタートに備える。
【００７１】
このように、選択した洗浄コースの運転が終了するたびに、選択した洗浄コース名及びその洗浄コースに選択可能なオプションがある場合はそれらの情報も一緒に不揮発性記憶手段（ＥＥＰＲＯＭ）に記憶させる。そして記憶した複数の情報の中で洗浄コース（そのコースに選択可能なオプションがある場合はそのオプション内容も含めて）を新しい順に並べてその結果を記憶手段に記憶させる。
【００７２】
そして、次回の電源投入時に前回運転した洗浄コースを表示させる。また、専用のキーあるいは既存の特定キーを押すたびに過去に使用した洗浄コースが新しい順に表示される。
【００７３】
図９は本発明の第２の実施形態に対応した制御シーケンスのフローチャート図であり、次回の電源投入時に使用数が最も多かった洗浄コースを表示させ、専用のキーあるいは既存の特定キーを押すたびに過去に使用した洗浄コースが使用数の多い順に表示されるシーケンスである。
【００７４】
図９において、食器洗い機の電源が投入されると（Ｓ５０）、電源スイッチが押されたかどうかが判定される（Ｓ５１）。電源スイッチが押されていない（ＮＯ）と判断されると、再び同様な動作を繰り返す。電源スイッチが押された（ＹＥＳ）と判断されると、ＥＥＰＲＯＭ４７から記憶された洗浄コースをマイコンのＲＡＭに読み込む（Ｓ５２）。
【００７５】
次に、過去に最も多かった洗浄コースを表示するＬＥＤを点灯させる（Ｓ５３）。洗浄コースの表示は液晶等の表示部１０を有するものでは、液晶等の表示部に表示することができる。次に、洗浄コースの履歴キー（専用あるいは特定のキー）が押されたかどうかが判定される（Ｓ５４）。履歴キーが押された（ＹＥＳ）と判断されたら、次に多かった洗浄コースを表示するＬＥＤを点灯させ（Ｓ５５）、前のステップ（Ｓ５４）に戻る。
【００７６】
履歴キーが押されなかった（ＮＯ）と判断されたら、運転がスタートされたかどうかが判定される（Ｓ５６）。運転がスタートされたら（ＹＥＳ）、ＥＥＰＲＯＭ４７からマイコンのＲＡＭに、設定された洗浄コースが記憶され（Ｓ５９）、続いて、設定された洗浄コースを「使用数の多い順」にマイコンにより並べ替え（Ｓ６０）、結果をＥＥＰＲＯＭ４７に記憶する（Ｓ６１）。
【００７７】
続いて、選択された、「洗い工程」（Ｓ６２）、「すすぎ工程」（Ｓ６３）、「乾燥工程」（Ｓ６４）の運転が行なわれ、工程運転が終了したら、電源をオフにする（６５）、次のスタートに備える。
【００７８】
ステップ５６（Ｓ５６）で、運転のスタートがなかった時（ＮＯ）、洗浄コースの選択があるかどうかを判定する（Ｓ５７）。選択がなかったら（ＮＯ）、ステップ５６に戻り次のスタートに備える。洗浄コースの選択があったら（ＹＥＳ）、選択されたコースを表示するＬＥＤの点灯を行ない、ステップ５６に戻り次のスタートに備える。
【００７９】
このように、選択した洗浄コースの運転が終了するたびに、選択した洗浄コース名及びその洗浄コースに選択可能なオプションがある場合はそれらの情報も一緒に不揮発性記憶手段（ＥＥＰＲＯＭ）に記憶させる。そして記憶した複数の情報の中で洗浄コース（そのコースに選択可能なオプションがある場合はそのオプション内容も含めて）を使用数の多い順に並べてその結果を記憶手段に記憶させる。
【００８０】
そして、次回の電源投入時に前回運転した洗浄コースを表示させる。また、専用のキーあるいは既存の特定キーを押すたびに過去に使用した洗浄コースが使用数の多い順に表示される。
【図面の簡単な説明】
【００８１】
【図１】本発明の一実施形態に係る食器洗い乾燥機の斜視図。
【図２】食器洗い乾燥機の断面図。
【図３】食器洗い乾燥機の電気的構成を示すブロック図。
【図４】専用洗剤コースの制御のフローチャート図。
【図５】台所洗剤コースの制御のフローチャート図。
【図６】すすぎ乾燥コースの制御のフローチャート図。
【図７】食器洗い乾燥機の操作表示パネルの例図
【図８】本発明の実施例のフローチャート図。
【図９】本発明の他の実施例のフローチャート図。
【符号の説明】
【００８２】
１            食器洗い乾燥機
３            洗浄タンク
８            操作表示パネル
９            食器かご
１０          液晶等の表示部
１９          ヒータ
２０          洗浄兼排水ポンプ
２６          回転ノズルアーム
２９          固定ノズルアーム
４０          制御部
４２          温度センサ
４６          負荷駆動部
４７          ＥＥＰＲＯＭ
【図１】
2006102006.tif 000003
【図２】
2006102006.tif 000004
【図３】
2006102006.tif 000005
【図４】
2006102006.tif 000006
【図５】
2006102006.tif 000007
【図６】
2006102006.tif 000008
【図７】
2006102006.tif 000009
【図８】
2006102006.tif 000010
【図９】
2006102006.tif 000011